(57)【要約】【課題】低背化に適したコネクタ装置を提供する。【解決手段】主回路基板１０１に固定されて、主回路基板１０１上の電気回路と配線基板とを電気的に接続するコネクタ装置１において、ハウジング２と、ハウジング２内部に取り付けられて、下ビーム部５ｃと、下ビーム部５ｃの端部から立ち上がって主回路基板１０１から離れる方向に延びる連結部５ｄと、連結部５ｄの端部から下ビーム部５ｃから離れる方向に延びて、その接触部５ｂが配線基板１０２と接触する上ビーム部５ｅを有して、全体としてクランク状に構成されたコンタクト５と、連結部５ｄを下ビーム部５ｃから上ビーム部５ｅに向かう方向に向けて押し倒すアクチュエータ３を備える。【選択図】図４
2014017092.tif 000002
【特許請求の範囲】
【請求項１】
ハウジングと、前記ハウジングに取り付けられたコンタクトと、前記コンタクトの接点を接続対象の配線基板に接近させるアクチュエータを備えて、回路基板に固定されて、前記回路基板上の電気回路と前記配線基板とを電気的に接続するコネクタ装置において、
前記コンタクトは、
前記回路基板上の電気回路に接続される接続部と前記接続部から前記回路基板に平行に延びる下ビーム部と、前記下ビーム部の端部から立ち上がって前記回路基板から離れる方向に延びる連結部と、前記連結部の端部から前記回路基板に平行に延びて、前記下ビーム部から離れる方向に向かい、その先端が前記配線基板と接触する上ビーム部を有するとともに、
前記アクチュエータは、
前記連結部を前記下ビーム部から前記上ビーム部に向かう方向に押圧する押圧片を備える
ことを特徴とするコネクタ装置。
【請求項２】
前記アクチュエータは、前記ハウジングに起倒自在に取り付けられたレバーを備えるとともに、
前記押圧片は、前記レバーが倒されて前記回路基板に略平行にされた時に、前記連結部を前記接続部から前記上ビーム部の先端に向かう方向に押圧するカムである
ことを特徴とする請求項１に記載のコネクタ装置。
【請求項３】
前記コンタクトは、前記下ビーム部から立ち上がって前記回路基板から離れる方向に延びる柱状部を有して、
前記カムは、前記連結部と前記柱状部の間に配置されて、前記レバーが倒されて前記回路基板に略平行にされた時に、前記連結部と前記柱状部の間隔を拡げることを特徴とする請求項２に記載のコネクタ装置。
【請求項４】
前記コンタクトは、前記下ビーム部から立ち上がる延びる鉤型の係合部を有して、前記係合部が前記ハウジングと係合して、前記ハウジングに固定される
ことを特徴とする請求項１ないし請求項３のいずれか一項に記載のコネクタ装置。
【請求項５】
前記カムの端部は、前記ハウジングに形成された凹所の内部に置かれるとともに、
前記ハウジングを前記回路基板に固定する固定金具であって、前記ハウジングの前記凹所の入り口を閉塞する部位を有する固定金具を備える
ことを特徴とする請求項１ないし請求項３のいずれか一項に記載のコネクタ装置。
【請求項６】
前記ハウジングの下面の一部にスリットが形成されて、
前記コンタクトの少なくとも一部は、前記スリットにおいて前記ハウジングから露出している
ことを特徴とする請求項１ないし請求項５のいずれか一項に記載のコネクタ装置。
【発明の詳細な説明】
【技術分野】
【０００１】
本発明は、回路基板に固定されて、該回路基板上の電気回路と他の配線基板とを電気的に接続するコネクタ装置に関する。
【背景技術】
【０００２】
回路基板に固定されて、該回路基板上の電気回路と他の配線基板（例えば、フレキシブル印刷配線基板（ＦＰＣ）あるいはフレキシブル平板状ケーブル（ＦＦＣ））とを電気的に接続するコネクタ装置が知られている。コネクタ装置はハウジングを有し、該ハウジングの内部には、配線基板の配線パターンと接触するコンタクトが配置される。
【０００３】
従来のコネクタ装置が備えるコンタクトは、例えば、特許文献１に開示されているように、下アームを備え、下アームはハウジングに固定され、下アームに平行に上アームが配置され、両者を連結する弾性部（連結部）があって、全体として、「エ」字形をなしている。また、上アームと下アームは連結部を挟んで、押受部と接触部に分けられ、押受部において上アームと下アームの間にはスライダー（アクチュエータ）の押圧部が配置され、スライダーは上アームと下アームの間隔を変化させる。接触部において、上アームと下アームの間に配線基板が挿入されると、アクチュエータを操作して、上アームを持ち上げる。押受部において上アームが持ち上がると、弾性部が傾いて、上アームの接触部側の先端が下降して配線基板の配線パターンと接触する。
【先行技術文献】
【特許文献】
【０００４】
【特許文献１】特開２００８−６００８７号公報
【発明の概要】
【発明が解決しようとする課題】
【０００５】
コネクタ装置を使用する電子機器の多くは小型化が求められているので、コネクタ装置についても更なる低背化が求められている。特許文献１に開示されたコネクタ装置も低背化を考慮した設計がなされているが、「エ」字形のコンタクトは、上ビーム部の接触部側の先端を配線基板に接触させる時に、押受部において上アームが持ち上がるので、その持ち上がりの高さ分だけハウジングを高くする必要がある。そのために「エ」字形のコンタクトを備えるコネクタ装置は背が高くなるという問題がある。
【０００６】
本発明は、上記の事情に鑑みてなされたものであり、低背化に適したコネクタ装置を提供することを目的とする。
【課題を解決するための手段】
【０００７】
上記目的を達成するため、本発明に係るコネクタ装置は、ハウジングと、前記ハウジングに取り付けられたコンタクトと、前記コンタクトの接点を接続対象の配線基板に接近させるアクチュエータを備えて、回路基板に固定されて、前記回路基板上の電気回路と前記配線基板とを電気的に接続するコネクタ装置において、前記コンタクトは、前記回路基板上の電気回路に接続される接続部と前記接続部から前記回路基板に平行に延びる下ビーム部と、前記下ビーム部の端部から立ち上がって前記回路基板から離れる方向に延びる連結部と、前記連結部の端部から前記回路基板に平行に延びて、前記下ビーム部から離れる方向に向かい、その先端が前記配線基板と接触する上ビーム部を有するとともに、前記アクチュエータは、前記連結部を前記下ビーム部から前記上ビーム部に向かう方向に押圧する押圧片を備えることを特徴とする。
【０００８】
前記アクチュエータは、前記ハウジングに起倒自在に取り付けられたレバーを備えるとともに、前記押圧片は、前記レバーが倒されて前記回路基板に略平行にされた時に、前記連結部を前記接続部から前記上ビーム部の先端に向かう方向に押圧するカムであるようにしてもよい。
【０００９】
前記コンタクトは、前記下ビーム部から立ち上がって前記回路基板から離れる方向に延びる柱状部を有して、前記カムは、前記連結部と前記柱状部の間に配置されて、前記レバーが倒されて前記回路基板に略平行にされた時に、前記連結部と前記柱状部の間隔を拡げるようにしてもよい。
【００１０】
前記コンタクトは、前記下ビーム部から立ち上がる延びる鉤型の係合部を有して、前記係合部が前記ハウジングと係合して、前記ハウジングに固定されるようにしてもよい。
【００１１】
前記カムの端部は、前記ハウジングに形成された凹所の内部に置かれるとともに、前記ハウジングを前記回路基板に固定する固定金具であって、前記ハウジングの前記凹所の入り口を閉塞する部位を有する固定金具を備えるようにしてもよい。
【００１２】
前記ハウジングの下面の一部にスリットが形成されて、前記コンタクトの少なくとも一部は、前記スリットにおいて前記ハウジングから露出するようにしてもよい。
【発明の効果】
【００１３】
本発明によれば、低背化に適した構成を備えるので、電子機器等の更なる小型化が図れる。
【図面の簡単な説明】
【００１４】
【図１】本発明の実施形態に係るコネクタ装置の使用状態を示す斜視図である。
【図２】コネクタ装置の外形図であり、（ａ）は斜視図であり、（ｂ）は正面図である。
【図３】コネクタ装置の部品構成を示す分解斜視図である。
【図４】コネクタ装置の構成を示す図であり、（ａ）は図２（ｂ）のＡＡ線で切断した断面図であり、（ｂ）はＢＢ線で切断した断面図である。
【図５】コネクタ装置の組み立て手順を示す図である。
【図６】コネクタ装置の作用を示す図であって、図２（ｂ）のＡＡ線で切断した断面図であり、（ａ）は配線基板が挿入された状態を、（ｂ）はコンタクトを配線基板に接触させた状態をそれぞれ示す。
【図７】コネクタ装置の作用を模式的に示す図であって、（ａ）は配線基板が挿入された状態を、（ｂ）はコンタクトを配線基板に接触させた状態をそれぞれ示す。
【発明を実施するための形態】
【００１５】
以下、本発明を実施するための最良の形態を説明する。
【００１６】
図１に示すように、コネクタ装置１は、主回路基板１０１に固定されて、主回路基板１０１と配線基板１０２を電気的に接続する装置であり、ハウジング２とアクチュエータ３を備える。ハウジング２は、絶縁性材料（例えば、合成樹脂）で形成された構造体である。また、アクチュエータ３も絶縁性材料（例えば、合成樹脂）で形成された部品であり、ハウジング２に対して起倒自在に取り付けられている。なお、図１は配線基板１０２の取付け接続を完了した状態を示している。この状態では、アクチュエータ３は倒されているが、配線基板１０２をコネクタ装置１に受け入れる際には、図２に示すように、アクチュエータ３が起こされる。なお、配線基板１０２は、例えば、フレキシブル印刷配線基板（ＦＰＣ）あるいはフレキシブル平板状ケーブル（ＦＦＣ）であるが、これらには限定されない。
【００１７】
また、図２に示すように、ハウジング２の正面には、配線基板１０２（図１参照）を挿入する基板挿入口４が開口している。図２ではハウジング２の内部に配置されたコンタクト５の先端が基板挿入口４から覗いている。なお、コンタクト５は配線基板１０２と電気的に接触する金属部品であって、前記先端が配線基板１０２の図示しない配線パターンと電気的に接触する。また、ハウジング２の後方には、コンタクト５の後端が露出していて、後述するようにコンタクト５の後端は主回路基板１０１の図示しない配線パターンに接続される。また、ハウジング２の左右端、つまり基板挿入口４の両側には固定金具６が取り付けられている。なお、本明細書では基板挿入口４が開口する側をコネクタ装置１の前方または正面と呼び、その反対側を後面又は背面と呼び、主回路基板１０１に対面する側を下方、その反対側を上方と呼ぶことにする。
【００１８】
図３を参照して、コネクタ装置１の構成部品の説明を続ける。ハウジング２の底部にはスリット２ａが設けられて、コンタクト５はハウジング２の下方から、スリット２ａを通ってハウジング２に挿入されて取り付けられる。アクチュエータ３はレバー３ａと、コンタクト５に対応するように形成された複数のカム３ｂを備え、レバー３ａには多数の貫通穴３ｃが形成されている。また、コンタクト５の接続部５ａは主回路基板１０１の図示しない配線パターンに半田付けされて回路基板１０１に電気的に接続され、接触部５ｂは配線基板１０２（図１参照）の図示しない配線パターンと接触する。なお、コネクタ装置１が備えるコンタクト５の数はスリット２ａと貫通穴３ｃの数に等しいが、図３では、煩雑を防ぐために、コンタクト５の数を減らして描いている。また、コネクタ装置１は固定金具６を２個備え、固定金具６の基端６ａはハウジング２の前方で露出していて、主回路基板１０１（図１参照）の図示しない配線パターンに半田付けされる。つまり、コネクタ装置１の前方では固定金具６の基端６ａが、後方にはコンタクト５の接続部５ａが、それぞれ主回路基板１０１の図示しない配線パターンに半田付けされる。また、固定金具６はアーム部６ｂを備え、アーム部６ｂはアクチュエータ３のカム３ｂがハウジング２から脱落するのを防いでいる。
【００１９】
次に図４（ａ）を参照して、コンタクト５の詳細な形状を説明する。コンタクト５は、接続部５ａから主回路基板１０１に平行（図において左方向）に延びる下ビーム部５ｃと、下ビーム部５ｃの終端（図において左端）から立ち上がって主回路基板１０１から離れる方向（図に置いて上方）に延びる連結部５ｄと、連結部５ｄの頂端から主回路基板１０１に平行に、下ビーム部５ｃから離れる方向（図において左方向）に延びて、接触部５ｂにおいて配線基板１０２（図４において図示せず）と接触する上ビーム部５ｅを備えている。このように下ビーム部５ｃ、連結部５ｄ及び上ビーム部５ｅは、全体として略クランク状に構成されている。また、接続部５ａと連結部５ｄの間には、柱状部５ｆがあって、下ビーム部５ｃから立ち上がって主回路基板１０１から離れる方向（図に置いて上方）に延びている。また、接続部５ａの近傍には鉤型の係合部５ｇが立ち上がって主回路基板１０１から離れる方向（図に置いて上方）に延びている。また、アクチュエータ３のカム３ｂは、コンタクト５の連結部５ｄと柱状部５ｆの間に配置される。また、ハウジング２には被係合部２ｂが形成されて、被係合部２ｂはコンタクト５の係合部５ｇと係合する。また、図４（ａ）から明らかなように、下ビーム部５ｃの一部はハウジング２の下方において、ハウジング２の外に露出して、主回路基板１０１に接触するように構成される。なお、図４（ａ）において、コンタクト５上に描いた破線は、下ビーム部５ｃないし係合部５ｆの区分を示す便宜的なものである。
【００２０】
図４（ｂ）に示すように、固定金具６は、基端６ａから主回路基板１０１から離れる方向（図に置いて上方）に立ち上がる基部６ｃを備え、アーム部６ｂは基部６ｃの頂端から主回路基板１０１に平行（図に置いて右方向）に延びて、アーム部６ｂの先端６ｅは鈎形に曲げられて、主回路基板１０１に近づく方向（図に置いて下方）に延びている。また、固定金具６には、アーム部６ｂの長さ方向の途中から、主回路基板１０１に近づく方向（図に置いて下方）に突出する突出部６ｄが形成されている。また、アクチュエータ３のカム３ｂはハウジング２に形成された凹所２ｄの内部に置かれていて、アーム部６ｂは、アクチュエータ３の左右端に形成されたカム３ｂの上にあって、凹所２ｄの入り口を閉塞している。またアーム部６ｂの先端６ｅはカム３ｂの不用意な脱落を防いでいる。このように、カム３ｂは、凹所２ｄの内部に保持されて、凹所２ｄの内部において回転する。また、ハウジング２には被挟持部２ｃが形成されていて、被挟持部２ｃは固定金具６の基部６ｃと突出部６ｄに挟持されて、固定金具６をハウジング２に保持する。なお、図４（ｂ）において、固定金具６上に描いた破線も、基部６ｃないし突出部６ｄの区分を示す便宜的なものである。
【００２１】
コネクタ装置１は図５に示すような手順で組み立てられる。すなわち、まず図５（ａ）に示すように、コンタクト５をハウジング２の下方からスリット２ａを通してハウジング２の中に押し込む。その後、コンタクト５を図の左方向にスライドさせると、図５（ｂ）に示すように、コンタクト５の係合部５ｇとハウジング２の被係合部２ｂが係合する。この時、コンタクト５の下方の部位は、スリット２ａを通って、ハウジング２の外に露出している。そして、図５（ｃ）に示すように、アクチュエータ３をハウジング２の上方からハウジング２の中に押しいれる。最後に、固定金具６をハウジング２の上面からハウジング２の中に押し込むと、アクチュエータ３は固定金具６によってハウジング２に保持される。つまり図４（ｂ）に示すような形態が完成する。
【００２２】
最後に図６及び図７を参照して、コネクタ装置１の作用を説明する。なお図６は、コネクタ装置１の作用を写実的に図示したものであり、図７は、コンタクト５の変位を誇張して、アクチュエータ３とコンタクト５の作用を模式的に描いた図である。図７（ａ）は図６（ａ）に、図７（ｂ）は図６（ｂ）にそれぞれ対応する。
【００２３】
図６（ａ）に示すように、配線基板１０２をコネクタ装置１に挿入する時は、アクチュエータ３のレバー３ａが主回路基板１０１に対して直角になるように、アクチュエータ３をハウジング２に対して起立させておく、この時、アクチュエータ３のカム３ｂはコンタクト５の連結部５ｄから離れているので、カム３ｂは連結部５ｄに作用していない。つまり、コンタクト５には外力が加わっていないから、コンタクト５は初期の形状を保っていて、コンタクト５の接触部５ｂは配線基板１０２から離れている（図７（ａ））。
【００２４】
コネクタ装置１では、アクチュエータ３を操作してコンタクト５の接触部５ｂを配線基板１０２に当接させて、コンタクト５を配線基板１０２に電気的に接触させる。すなわち、図６（ｂ）に示すように、アクチュエータ３のレバー３ａをハウジング２の後方に倒して水平にすると、カム３ｂは時計回りに９０°回転して、コンタクト５の連結部５ｄと柱状部５ｆに当接して、連結部５ｄと柱状部５ｆの間隔を拡げる。その結果、図７（ｂ）に示すように連結部５ｄは図の左方向に倒れ、上ビーム部５ｅは反時計回りに回転変位して接触部５ｂが下がって、配線基板１０２に当接する。また、柱状部５ｆは、若干右方向に倒れている。
【００２５】
このように、コンタクト５には、従来の「エ」字形のコンタクトのような、接触部５ｂを下げて配線基板１０２に当接（接触）させた時に、上に持ちあがる部位がないので、コネクタ装置１は高さを小さくできる。
【００２６】
なお、本実施形態では柱状部５ｆの剛性を低く設計しているので、アクチュエータ３（カム３ｂ）を倒した時（図６（ｂ）に示す状態）に、柱状部５ｆはアクチュエータ３（カム３ｂ）の押圧力を受けて変形し、その結果、アクチュエータ３（カム３ｂ）が図の右方向に逃げるから、連結部５ｄの倒れが小さくなりコンタクト５の変位が小さくなる。このため、配線基板１０２を挿入しないでアクチュエータ３を回動させる場合、つまり、いわゆる空閉じの場合であっても、コンタクト５の変位が小さくなるので、コンタクト５の塑性変形が抑制される。このようにコネクタ装置１は空閉じの際に塑性変形して損傷する危険が小さいので、より好適である。
【００２７】
また、コンタクト５には接続部５ａから立ち上がる係合部５ｇがあって、係合部５ｇがハウジング２の被係合部２ｂと係合するので、コンタクト５はハウジング２に強力に係合される。そのため、アクチュエータ３を動かす際にコンタクト５に変形、破損等が生じることがない。その結果、コネクタ装置１全体の強度と信頼性は向上している。
【００２８】
なお、上記実施形態は、本発明の具体的な実施態様の例示であって、本発明の技術的範囲は上記実施形態によっては限定されない。本発明は特許請求の範囲に記載された技術的思想の範囲において、自由に応用、変形、あるいは改良して実施することができる。
【００２９】
コンタクト５の柱状部５ｆと係合部５ｇは任意的構成要素であって、柱状部５ｆあるいは係合部５ｇを備えない形状を選ぶこともできる。例えば、ハウジング２にカム３ｂと当接する部位を形成して、カム３ｂが当該部位と連結部５ｄの間隔を拡げるように構成すれば、柱状部５ｆは不要である。
【００３０】
また、上記実施形態の説明において、コンタクト５が略クランク状に構成されていると説明したが、略クランク状とは、下ビーム部５ｃと上ビーム部５ｅが略平行に配置されることと、下ビーム部５ｃと上ビーム部５ｅが連結部５ｄを挟んで、互いに反対方向に延びることを意味する。つまり、略クランク状という場合、下ビーム部５ｃと連結部５ｄ、連結部５ｄと上ビーム部５ｅがそれぞれなす角度は直角には限定されない。コンタクト５のような、いわば「Ｚ」形も「略クランク状」に含まれる。
【００３１】
アクチュエータ３の形状が例示であって、図示された形状に限定されないことも言うまでもない。また、上記実施形態の説明においては、アクチュエータ３のカム３ｂをハウジング２に形成された凹所２ｄの内部に置いて、凹所２ｄの入り口を固定金具６のアーム部６ｂで閉塞する例を示したが、アクチュエータ３はハウジング２に保持する態様はこれには限定されない。例えば、アクチュエータ３に回転軸を形成して、該回転軸がハウジング２に支承されるようにしてもよい。
【００３２】
また、アクチュエータ３は、ハウジング２に起倒自在に取り付けられたレバー３ａを備えるものには限られない。いわゆるスライドタイプ、つまり、押圧片が主回路基板１０１に平行に移動して、連結部５ｄを下ビーム部５ｃから上ビーム部５ｅに向かう方向に押圧するように構成されてもよい。また、アクチュエータ３をスライドタイプとする場合は、アクチュエータ３をハウジング２に対して、所望の位置で仮止めする手段を備えてもよい。
【００３３】
また、上記実施形態では、ハウジング２とアクチュエータ３を合成樹脂で構成し、コンタクト５を金属素材で構成すると説明したが、これらの素材は特に限定されない。コネクタ装置１の機能が保証されるならば、公知の素材、あるいは将来出現する新規な素材を適宜選択して使用することができる。ハウジング２とアクチュエータ３は、所望の機械的強度と絶縁性能が得られるのであれば、各種の合成樹脂素材を任意に選択することができる。また、樹脂以外の素材を選択することもできる。コンタクト５は、所望の電気的特性と機械的特性（例えば強度と弾性）と得られるのであれば、各種の素材を任意に選択することができる。
【符号の説明】
【００３４】
１・・・コネクタ装置，  ２・・・ハウジング，  ２ａ・・・スリット，  ２ｂ・・・被係合部，  ２ｃ・・・被挟持部，  ２ｄ・・・凹所，  ３・・・アクチュエータ，  ３ａ・・・レバー，  ３ｂ・・・カム，  ３ｃ・・・貫通穴，  ４・・・基板挿入口  ５・・・コンタクト，  ５ａ・・・接続部，  ５ｂ・・・接触部，  ５ｃ・・・下ビーム部，  ５ｄ・・・連結部，  ５ｅ・・・上ビーム部，  ５ｆ・・・柱状部，  ５ｇ・・・係合部，  ６・・・固定金具，  ６ａ・・・基端，  ６ｂ・・・アーム部，  ６ｃ・・・基部，  ６ｄ・・・突出部，  ６ｅ・・・先端，  １０１・・・主回路基板，  １０２・・・配線基板
【図１】
2014017092.tif 000003
【図２】
2014017092.tif 000004
【図３】
2014017092.tif 000005
【図４】
2014017092.tif 000006
【図５】
2014017092.tif 000007
【図６】
2014017092.tif 000008
【図７】
2014017092.tif 000009